(57)【特許請求の範囲】
【請求項１】
天井に取付けられる器具本体と、この器具本体に装着される照明ランプを下から覆うように器具本体に取付けられるカバーとから成り、このカバーの周縁部にストッパが設けられる一方、上記器具本体の周縁部にストッパ受けが、垂下状態で、かつ、上記ストッパを受け止めてカバーの落下を防止するストッパ作用位置と、このストッパ作用位置から内側に変位して鉛直方向の垂下量が小さくなる退避位置との間で揺動可能な状態で垂下して設けられ、かつ、このストッパ受けに、上記器具本体にカバーが取付けられた状態で上記ストッパに押されてストッパ受けを上記退避位置に揺動させ保持する操作部が設けられたことを特徴とする照明器具。
【請求項２】
請求項１記載の照明器具において、カバーの周縁部に係合部材が設けられる一方、上記器具本体の周縁部における上記係合部材に対応する位置に係合体が設けられ、この係合体は、係合位置と係合解除位置との間でスライド可能でかつ上記係合位置に向かうバネ力を付与されたラッチを備え、上記係合部材がこのラッチに係合することによって上記カバーが器具本体に取付けられるように構成され、ストッパが上記係合部材に、ストッパ受けが上記係合体にそれぞれ設けられ、かつ、上記係合部材がラッチに係合したときにストッパ受けが内向きに揺動するように構成されたことを特徴とする照明器具。
【請求項３】
請求項２記載の照明器具において、係合体に一対のラッチ、係合部材にこのラッチに係合する一対の係合部がそれぞれ間隔を置いてかつ相対応する位置関係で設けられ、ストッパ受けが上記両ラッチ間、ストッパが両係合部間にそれぞれ設けられたことを特徴とする照明器具。
【請求項４】
ストッパ受けをストッパ作用位置に自動復帰させるバネが設けられたことを特徴とする請求項１乃至３のいずれかに記載の照明器具。
【発明の詳細な説明】
【０００１】
【発明の属する技術分野】
本発明は天井に取付けられる器具本体に、蛍光灯等の照明ランプを下から覆うカバー（シェード）を装着して構成される照明器具に関するものである。
【０００２】
【従来の技術】
従来、カバー付きの照明器具において、カバーの着脱時に誤ってカバーが落下しないように、器具本体の周縁部に、針金をほぼＵ字形に折り曲げてなるストッパ受けを揺動自在に垂下させる一方、カバーの周縁部に、ストッパ受けの下辺部に上方から係止しうる舌片状のストッパを斜め下向きに設けたものが公知である（実開平７−２５５１１号公報参照）。
【０００３】
【発明が解決しようとする課題】
ところが、従来のカバー落下防止構造によると、ストッパ受けは、カバー装着状態でカバーの内側でほぼ垂直に垂れ下がっているため、使用時（ランプ点灯時）にこのストッパ受けがカバーに影として映る所謂映り込み現象が起こり、使用者にとって目障りとなり、照明器具にとって重要な美観を損なうことにもなっていた。
【０００４】
そこで本発明は、上記のようなストッパ受けの映り込み現象を防止することができる照明器具を提供するものである。
【０００５】
【課題を解決するための手段】
請求項１の発明は、天井に取付けられる器具本体と、この器具本体に装着される照明ランプを下から覆うように器具本体に取付けられるカバーとから成り、このカバーの周縁部にストッパが設けられる一方、上記器具本体の周縁部にストッパ受けが、垂下状態で、かつ、上記ストッパを受け止めてカバーの落下を防止するストッパ作用位置と、このストッパ作用位置から内側に変位して鉛直方向の垂下量が小さくなる退避位置との間で揺動可能な状態で垂下して設けられ、かつ、このストッパ受けに、上記器具本体にカバーが取付けられた状態で上記ストッパに押されてストッパ受けを上記退避位置に揺動させ保持する操作部が設けられたものである。
【０００６】
請求項２の発明は、請求項１の構成において、カバーの周縁部に係合部材が設けられる一方、上記器具本体の周縁部における上記係合部材に対応する位置に係合体が設けられ、この係合体は、係合位置と係合解除位置との間でスライド可能でかつ上記係合位置に向かうバネ力を付与されたラッチを備え、上記係合部材がこのラッチに係合することによって上記カバーが器具本体に取付けられるように構成され、ストッパが上記係合部材に、ストッパ受けが上記係合体にそれぞれ設けられ、かつ、上記係合部材がラッチに係合したときにストッパ受けが内向きに揺動するように構成されたものである。
【０００７】
請求項３の発明は、請求項１または２の構成において、係合体に一対のラッチ、係合部材にこのラッチに係合する一対の係合部がそれぞれ間隔を置いてかつ相対応する位置関係で設けられ、ストッパ受けが上記両ラッチ間、ストッパが両係合部間にそれぞれ設けられたものである。
【０００８】
請求項４の発明は、請求項１乃至３のいずれかの構成において、ストッパ受けをストッパ作用位置に自動復帰させるバネが設けられたものである。
【０００９】
上記構成によると、カバー装着時（請求項２，３の構成によるとカバー側の係合部材が器具本体側のラッチに係合したとき）に、ストッパ受けの操作部がストッパで押されてストッパ受けが退避位置に揺動し、かつこの位置に保持されるため、ストッパ受けが垂れ下がったままの場合と比較して、ストッパ受けの鉛直方向の垂下量が小さくなる分、その映り込み現象を小さくし、またはこのときのストッパ受けの角度設定によってストッパ受けの映り込み現象を完全に防止することができる。
【００１０】
また、請求項３の構成によると、係合体と係合部材が一対のラッチと係合部によって両側係合し、この両側係合部分の間でストッパとストッパ受けの係止作用（落下防止作用）が働くため、片側係合方式の場合と比較して、ストッパとストッパ受けの位置関係に狂いが生じにくく、落下防止作用の確実性がより高いものとなる。
【００１１】
さらに、請求項４の構成によると、カバー取付時にストッパ受けがストッパに押されて一旦内側に揺動した後、およびカバー取外し時にストッパが操作部から離れた後、ストッパ受けがバネの力によって速やかにかつ確実にストッパ作用位置に復帰するため、この復帰を自重による自然垂下力のみに頼る場合のような復帰遅れや復帰不良がなく、落下防止作用がさらに確実なものとなる。
【００１２】
【発明の実施の形態】
本発明の実施形態を図によって説明する。
【００１３】
図１，４，５において１は天井Ｗに取付けられる器具本体で、この器具本体１に図示しない蛍光灯等の照明ランプが取付けられ、この照明ランプを下から覆うように透光性のカバー２が取付けられる。２ａはカバー２の上縁部に取付けられた縁枠である。
【００１４】
ここでは、全体が平面視で四角形の照明器具を例示しているが、本発明は丸形その他の照明器具にも以下同様に適用することができる。
【００１５】
器具本体１にカバー２を取付けるための手段として、器具本体１およびカバー２の相対向する二辺部のほぼ中央部において、器具本体側に係合体３、カバー側に係合部材４（図１，４，５では一方の辺部のみについて示す）がそれぞれ設けられている。
【００１６】
係合体３および係合部材４は次のように構成されている。
【００１７】
係合体３（図１〜図５参照）
係合体３は、扁平な横長四角形のケース５を有し、このケース５の長手方向の両側にラッチ６，６が設けられている。
【００１８】
このラッチ６，６は、側面視直角三角形のラッチ本体部６ａ，６ａを有し、この本体部６ａ，６ａが外部に突出する係合位置と、同本体部６ａ，６ａがケース５内に没入する係合解除位置との間でスライド可能で、かつ、それぞれコイルバネ７によって係合位置に向けて付勢された状態で設けられている。
【００１９】
また、ケース５には蓋８が取付けられ、このケース５と蓋８との間に係合解除レバー９が水平方向にスライド自在で、かつ、器具本体１外に一部が突出する状態で設けられている。
【００２０】
両ラッチ６，６の上面に平面視直角三角形の凸部６ｂ、係合解除レバー９の下面に凸部６ｂの斜面に当接するレバー脚１０がそれぞれ設けられ、係合解除レバー９が内向き（図３の一重線矢印で示す方向）に押し操作されたときに、レバー脚１０と凸部６ｂの斜面のガイド作用により、両ラッチ６，６が内側（図３の二重線矢印で示す方向）にスライドしてラッチ本体部６ａ，６ａがケース５内に没入するように構成されている。
【００２１】
一方、ケース５の下面側に、針金をやや縦長の四角形に曲げ加工して成るストッパ受け１１が垂下状態で設けられている。
【００２２】
このストッパ受け１１は、上辺部を支点として、図４実線および図５二点鎖線で示すように鉛直に近い角度で垂下するストッパ作用位置と、図５実線で示すように内向きにストッパ位置から内側に大きく移動して鉛直方向の垂下量α（図５に示す）が小さくなる退避位置との間で揺動自在に取付けられ、かつ、図２に示す復帰バネ（ねじりバネ）１２によってストッパ作用位置に向かうバネ力を付与されている。
【００２３】
ストッパ受け１１には、その上辺中央部が下方にＵ字形に折り曲げられて操作部１３が一体に揺動しうる状態で設けられている。
【００２４】
係合部材４（図１，４，５参照）
この係合部材４は、カバー２（縁枠２ａ）に取付けられる本体部分が細長い板体に形成され、その両端部に、係合体３のラッチ６，６（ラッチ本体部６ａ，６ａ）に対して上下方向に係脱しうる係合部１４，１４がほぼ直角方向に突出して設けられている。
【００２５】
この係合部１４，１４は、上端部にくの字形に屈曲するガイド部１４ａ，１４ａを有し、このガイド部１４ａ，１４ａとラッチ本体部６ａ，６ａの斜面によるガイド作用、およびコイルバネ７のバネ力により、ラッチ６，６が係合部１４，１４に下方から押されて一旦没入した後、復帰して係合部１４，１４に係合する作用が自動的に行われる。
【００２６】
また、係合部材４のほぼ中央部に、斜め下向きに延びる板状のストッパ１５が設けられ、カバー着脱時にこのストッパ１５とストッパ受け１１とによってカバー２の落下が防止され、かつ、ストッパ１５と操作部１３とによってカバー取付状態でのストッパ受け１１の映り込み現象が防止される。
【００２７】
この点を詳述する。
【００２８】
カバー２を取付けるときは、図４に示すようにカバー２全体を器具本体１に向けて押し上げ、図５に示すようにカバー側の係合部１４，１４を器具本体側のラッチ６，６に係合させる。
【００２９】
この係合部１４，１４とラッチ６，６の係合作用によってカバー２が器具本体１に、互いの周縁部が内外嵌合し、前後左右および上下の各方向に位置固定された状態で取付けられる。
【００３０】
このカバー取付時において、図４に示すようにカバー２が器具本体１に接近したときに、器具本体側のストッパ受け１１がカバー側のストッパ１５に押されて一旦二点鎖線で示すように内側に揺動し、ストッパ１５が通過した後、自重と復帰バネ１２の力によって原位置（ストッパ作用位置）に復帰する。
【００３１】
従って、この後、カバー取付けが完了するまでに誤ってカバー２から手を離しても、ストッパ１５がストッパ受け１１に受け止められるため、カバー２の落下を防止することができる。
【００３２】
あるいは、ストッパ１５をストッパ受け１１に係止させてカバー２を仮保持した状態でカバー２を片側から順に上記ラッチ係合によって器具本体１に取付けるという楽な取付手順をとることができる。
【００３３】
また、ランプ取替え時等、必要に応じてカバー２を取外す際にも、上記ストッパ１５とストッパ受け１１による落下防止作用によってカバー２の不測の落下を防止し、あるいは取外し操作を楽に行うことができる。
【００３４】
一方、カバー取付時において、係合部１４，１４がラッチ６，６に係合し始める時点からストッパ受け１１の操作部１３がストッパ１５に押されてストッパ作用位置から内側上向きに揺動し始め、ラッチ係合の完了時点で図５に示すように内側に大きく傾いた退避位置に変位する。
【００３５】
これにより、ストッパ受け１１の鉛直方向の垂下量αが、図４実線および図５二点鎖線で示すストッパ作用位置にある状態と比べて大幅に減少する。
【００３６】
このため、器具使用時に、このストッパ受け１１がカバー２に影として映る所謂「映り込み現象」の程度を小さくすることができる。
【００３７】
あるいは、退避位置でのストッパ受け１１の角度（鉛直方向の垂下量α）の設定によって映り込み現象を完全に防止（零に）することができる。
【００３８】
なお、カバー２の取外し時には、前記のように係合解除レバー９を押すことによってラッチ係合を解いてカバー２を引き下ろせばよい。
【００３９】
このとき、ストッパ受け１１が自重と復帰バネ１２のバネ力によって速やかにかつ確実にストッパ作用位置に復帰するため、カバー取外し時にもストッパ１５とストッパ受け１１によってカバー２の不測の落下が確実に防止され、またカバー取外し操作を容易に行うことができる。
【００４０】
さらに、係合体３と係合部材４が一対のラッチ６，６と係合部１４，１４によって両側係合し、この両側係合部分の間でストッパ１５とストッパ受け１１の係止作用（落下防止作用）が働くため、片側係合方式の場合と比較して、ストッパ１５とストッパ受け１１の位置関係に狂いが生じにくく、落下防止作用の確実性がより高いものとなる。
【００４１】
他の実施形態
（１）ラッチ係合を上記実施形態のような両側でなく一個所のみで行わせる構成とし、このラッチ係合部分の近傍でストッパ１５とストッパ受け１１のカバー落下防止作用を行わせる構成をとってもよい。
【００４２】
（２）ストッパ１５とストッパ受け１１をラッチ係合部分とは全く別の離間した位置に独立して設けてもよい。
【００４３】
（３）カバー２を器具本体１に取付ける手段として、上記実施形態のラッチ係合手段以外の手段（たとえばねじ結合手段）を用いてもよい。
【００４４】
（４）ストッパ１５とストッパ受け１１は、通常、上記実施形態のように対称二個所に設けるが、三個所以上に設けてもよいし、一個所のみに設けてもよい。
【００４５】
（５）上記実施形態では、ストッパ受け１１のストッパ作用位置への迅速、確実な復帰のために復帰バネ１２を設けたが、同バネ１２を設けずにストッパ１１を自重による自然復帰力のみによってストッパ作用位置に復帰させるようにしてもよい。
【００４６】
【発明の効果】
上記のように本発明によるときは、器具本体側にストッパ受け、カバー側にストッパをそれぞれ設け、これらによってカバーの落下を防止する構成をとりつつ、ストッパ受けに操作部を設け、カバー取付時（請求項２，３の発明によるとカバー側の係合部材が器具本体側のラッチに係合したとき）に、ストッパにより上記操作部を押してストッパ受けを退避位置まで内向き揺動させ、かつこの位置に保持する構成としたから、ストッパ受けが垂れ下がったままの場合と比較して、ストッパ受けの鉛直方向の垂下量を小さくして、その映り込み現象を小さくし、またはストッパ受けの映り込み現象を完全に防止することができる。
【００４７】
また、請求項３の発明によると、係合体と係合部材が一対のラッチと係合部によって両側係合し、この両側係合部分の間でストッパとストッパ受けの係止作用（落下防止作用）が働くため、片側係合方式の場合と比較して、ストッパとストッパ受けの位置関係に狂いが生じにくく、落下防止作用の確実性がより高いものとなる。
【００４８】
さらに、請求項４の発明によると、カバー取付時にストッパ受けがストッパに押されて一旦内側に揺動した後、およびカバー取外し時にストッパが操作部から離れた後、ストッパ受けがバネの力によって速やかにかつ確実にストッパ作用位置に復帰するため、この復帰を自重による自然垂下力のみに頼る場合のような復帰遅れや復帰不良がなく、落下防止作用がさらに確実なものとなる。
【図面の簡単な説明】
【図１】本発明の実施形態にかかる照明器具に使用される係合体と係合部材の斜視図である。
【図２】係合体の正面図である。
【図３】係合体の半部断面平面図である。
【図４】係合体と係合部材を係合させる直前の状態を示す断面図である。
【図５】係合体と係合部材を係合させた状態の断面図である。
【符号の説明】
Ｗ  天井
１  器具本体
２  カバー
３  係合体
６，６  ラッチ
７  ラッチにバネ力を付与するコイルバネ
１１  ストッパ受け
１２  復帰バネ
１３  操作部
４  係合部材
１４，１４  係合部
１５  ストッパ
【図１】
0004091690.tif 000002
【図２】
0004091690.tif 000003
【図３】
0004091690.tif 000004
【図４】
0004091690.tif 000005
【図５】
0004091690.tif 000006